【手続補正書】
【提出日】平成18年1月18日(2006.1.18)
【手続補正１】
【補正対象書類名】特許請求の範囲
【補正対象項目名】全文
【補正方法】変更
【補正の内容】
【特許請求の範囲】
【請求項１】
識別データを予め記憶した無線チップを埋込んだ札を搬送する搬送手段と、前記札の表面に印刷する印刷部と、識別データを記憶する記憶手段と、アンテナを介して前記無線チップとの無線通信を制御する無線通信制御部と、ホストコンピュータから前記札の印刷にのみ使用するデータ、前記札に印刷するとともに前記無線チップにも書き込まれる共通データ及び無線チップのみに使用するデータを受信するインタフェース部を備え、前記札の印刷にのみ使用するデータ及び前記共通データからなる印刷データを前記印刷部で印刷する札発行装置において、
前記無線通信制御部は、前記搬送手段で前記無線通信制御部の近傍に搬送された札に埋め込まれた無線チップにこれから処理する札の識別データを無線通信により送信し、その識別データが自己の識別データと一致した旨の信号をその無線チップから受信すると、前記アンテナを介して無線通信によりその無線チップに前記共通データ及び無線チップのみに使用するデータを送信し、
前記印刷部は、前記無線通信制御部が前記無線チップから前記識別データが自己の識別データと一致した旨の信号を受信すると、その無線チップを埋込んだ札の表面に前記札の印刷にのみ使用するデータ及び前記共通データを印刷し、
前記無線チップは、無線チップ側のアンテナを介して受信した識別データが自己の識別データと一致したかを識別する識別手段と、データを記憶するメモリと、受信した識別データが自己の識別データと一致していると前記識別手段により判断した場合には、前記共通データ及び無線チップのみに使用するデータを前記メモリに書き込む制御手段とを具備したことを特徴とする札発行装置。
【請求項２】
前記無線チップの制御手段は、識別データを受信すると、書込禁止が設定されているか否かを判断し、受信した識別データが自己の識別データと一致したと判断したとき、書込禁止が設定されていないと判断したときに限り、自己の識別データと一致した旨の信号を前記無線通信制御部へ送信し、前記無線通信制御部から無線通信により前記共通データ及び無線チップのみに使用するデータが送信されると、この共通データ及び無線チップのみに使用するデータを受信して前記メモリに記憶させるとともに書込禁止を設定することを特徴とする請求項１記載の札発行装置。
【請求項３】
識別データを予め記憶した無線チップを埋込んだ札を搬送する搬送手段と、前記札の表面に印刷する印刷部と、識別データを記憶する記憶手段と、アンテナを介して前記無線チップとの無線通信を制御する無線通信制御部と、ホストコンピュータから前記札の印刷にのみ使用するデータ、前記札に印刷するとともに前記無線チップにも書き込まれる共通データ及び無線チップのみに使用するデータを受信するインタフェース部を備え、前記札の印刷にのみ使用するデータ及び前記共通データからなる印刷データを前記印刷部で印刷する札発行装置において、
前記無線通信制御部は、前記搬送手段で前記無線通信制御部の近傍に搬送された札に埋め込まれた無線チップにこれから処理する札の識別データを無線通信により送信し、その識別データが自己の識別データと一致した旨の信号をその無線チップから受信すると、前記アンテナを介して無線通信によりその無線チップに前記共通データ及び無線チップのみに使用するデータを送信し、
前記印刷部は、前記無線通信制御部が前記無線チップから前記識別データが自己の識別データと一致した旨の信号を受信すると、その無線チップを埋込んだ札の表面に前記札の印刷にのみ使用するデータ及び前記共通データを印刷することを特徴とする札発行装置。
【請求項４】
前記無線チップにのみ使用するデータは荷物がどの中継点を通って運送されたかを示す運送経路データであることを特徴とする請求項１ないし請求項３のいずれか１項記載の札発行装置。
【手続補正２】
【補正対象書類名】明細書
【補正対象項目名】００１２
【補正方法】変更
【補正の内容】
【００１２】
請求項１記載の本発明は、識別データを予め記憶した無線チップを埋込んだ札を搬送する搬送手段と、前記札の表面に印刷する印刷部と、識別データを記憶する記憶手段と、アンテナを介して前記無線チップとの無線通信を制御する無線通信制御部と、ホストコンピュータから前記札の印刷にのみ使用するデータ、前記札に印刷するとともに前記無線チップにも書き込まれる共通データ及び無線チップのみに使用するデータを受信するインタフェース部を備え、前記札の印刷にのみ使用するデータ及び前記共通データからなる印刷データを前記印刷部で印刷する札発行装置において、前記無線通信制御部は、前記搬送手段で前記無線通信制御部の近傍に搬送された札に埋め込まれた無線チップにこれから処理する札の識別データを無線通信により送信し、その識別データが自己の識別データと一致した旨の信号をその無線チップから受信すると、前記アンテナを介して無線通信によりその無線チップに前記共通データ及び無線チップのみに使用するデータを送信し、前記印刷部は、前記無線通信制御部が前記無線チップから前記識別データが自己の識別データと一致した旨の信号を受信すると、その無線チップを埋込んだ札の表面に前記札の印刷にのみ使用するデータ及び前記共通データを印刷し、前記無線チップは、無線チップ側のアンテナを介して受信した識別データが自己の識別データと一致したかを識別する識別手段と、データを記憶するメモリと、受信した識別データが自己の識別データと一致していると前記識別手段により判断した場合には、前記共通データ及び無線チップのみに使用するデータを前記メモリに書き込む制御手段とを具備したことを特徴とする札発行装置である。
【手続補正３】
【補正対象書類名】明細書
【補正対象項目名】００１３
【補正方法】変更
【補正の内容】
【００１３】
請求項２記載の本発明は、前記無線チップの制御手段は、識別データを受信すると、書込禁止が設定されているか否かを判断し、受信した識別データが自己の識別データと一致したと判断したとき、書込禁止が設定されていないと判断したときに限り、自己の識別データと一致した旨の信号を前記無線通信制御部へ送信し、前記無線通信制御部から無線通信により前記共通データ及び無線チップのみに使用するデータが送信されると、この共通データ及び無線チップのみに使用するデータを受信して前記メモリに記憶させるとともに書込禁止を設定することを特徴とする札発行装置である。
【手続補正４】
【補正対象書類名】明細書
【補正対象項目名】００１４
【補正方法】変更
【補正の内容】
【００１４】
請求項３記載の本発明は、識別データを予め記憶した無線チップを埋込んだ札を搬送する搬送手段と、前記札の表面に印刷する印刷部と、識別データを記憶する記憶手段と、アンテナを介して前記無線チップとの無線通信を制御する無線通信制御部と、ホストコンピュータから前記札の印刷にのみ使用するデータ、前記札に印刷するとともに前記無線チップにも書き込まれる共通データ及び無線チップのみに使用するデータを受信するインタフェース部を備え、前記札の印刷にのみ使用するデータ及び前記共通データからなる印刷データを前記印刷部で印刷する札発行装置において、前記無線通信制御部は、前記搬送手段で前記無線通信制御部の近傍に搬送された札に埋め込まれた無線チップにこれから処理する札の識別データを無線通信により送信し、その識別データが自己の識別データと一致した旨の信号をその無線チップから受信すると、前記アンテナを介して無線通信によりその無線チップに前記共通データ及び無線チップのみに使用するデータを送信し、前記印刷部は、前記無線通信制御部が前記無線チップから前記識別データが自己の識別データと一致した旨の信号を受信すると、その無線チップを埋込んだ札の表面に前記札の印刷にのみ使用するデータ及び前記共通データを印刷することを特徴とする札発行装置である。  
請求項４記載の本発明は、前記無線チップにのみ使用するデータは荷物がどの中継点を通って運送されたかを示す運送経路データであることを特徴とする札発行装置である。